(57)【要約】      （修正有）【課題】側溝に設置されて使用される際にがたつきや騒音の発生を抑制することができ、且つ設置手間や製造、運搬コストの増大を招かない側溝蓋を提供する。【解決手段】平面視で矩形状の板状体２と、板状体２に設けられ、側溝又は隣接して配置される板状体２に当接して板状体２を３点で支持する第１乃至第３の支持突起４とを備える。第１の支持突起４は、板状体２の第１の縁部３ａ側の下面に設けられて側溝に当接する。第２及び第３の支持突起５、６は、板状体２の両縁部の第２の縁部３ｂ側に設けられる。【選択図】図１
2013053452.tif 000002
【特許請求の範囲】
【請求項１】
側溝に複数枚並べて設置され、両縁が前記側溝に支持される側溝蓋であって、
平面視で矩形状の板状体と、
前記板状体に設けられ、前記板状体を３点で支持する第１乃至第３の支持突起と、を備え、
前記板状体は、両側に隣接して配置される側溝蓋に対向する第１及び第２の側面と、前記側溝に対向して配置される第３及び第４の側面とを有し、
前記第１の支持突起は、前記第３の側面側となる前記板状体の第１の縁部側に設けられるとともに、前記板状体の下面に設けられて前記側溝に当接し、
前記第２及び第３の支持突起の１つは、前記第４の側面側となる前記板状体の第２の縁部側に設けられるとともに、前記板状体の下面に設けられて前記側溝に当接し、
前記第２及び第３の支持突起の残りの１つは、前記側溝及び隣接して配置される側溝蓋のいずれかに当接する
側溝蓋。
【請求項２】
前記第１の支持突起は、平面視で前記第１及び第２の側面の間の中央に配置された
請求項１に記載の側溝蓋。
【請求項３】
前記第２及び第３の支持突起の残りの１つは、前記第２の縁部側に設けられるとともに、前記板状体の下面に設けられた
請求項１又は２に記載の側溝蓋。
【請求項４】
前記第２及び第３の支持突起は、それぞれ平面視で前記第１及び第２の側面に接して或いは前記第１及び第２の側面の近傍に配置された
請求項１乃至３のいずれかに記載の側溝蓋。
【請求項５】
前記第１の側面に、前記第１の側面から突出する第１の側面突起と、前記第１の側面突起を収容可能な大きさの空間を画成する前記板状体の上面に開いた第１の側面溝とが設けられ、
前記第２の側面に、前記第２の側面から突出する第２の側面突起と、前記第２の側面突起を収容可能な大きさの空間を画成する前記板状体の上面に開いた第２の側面溝とが設けられ、
前記第１の支持突起、前記第１及び第２の側面突起は、前記第１の縁部側に設けられ、
前記第２及び第３の支持突起、前記第１及び第２の側面溝は、前記第２の縁部側に設けられ、
前記第１の側面突起と前記第１の側面溝とは、平面視で前記第３及び第４の側面間の中央を通る中央線を挟んで対称となる位置に配置され、
前記第２の側面突起と前記第２の側面溝とは、前記中央線を挟んで対称となる位置に配置され、
前記第１及び第２の側面溝は、それぞれ前記板状体の上面と同じ向きの第１及び第２の溝底面を有する
請求項１乃至４のいずれかに記載の側溝蓋。
【請求項６】
前記第１及び第２の溝底面は、それぞれ平面視で前記第２及び第３の支持突起に重畳する位置に配置され、
前記第１及び第２の側面突起は、隣接して配置される側溝蓋の対応する前記第１及び第２の側面溝に収容されたときにそれぞれ平面視で前記第２及び第３の支持突起に重畳する突出高さを有する
請求項５に記載の側溝蓋。
【請求項７】
前記板状体の下面の前記両縁部の端部は、隅取りされた
請求項５または６に記載の側溝蓋。
【請求項８】
前記第１及び第２の側面突起は、前記第１及び第２の側面視で前記板状体の下面側を向く円弧状の断面形状を有する
請求項５乃至７のいずれかに記載の側溝蓋。
【請求項９】
前記板状体が前記側溝に対して傾いたときに前記側溝に当接して前記板状体を支持する第１及び第２の副支持突起をさらに備え、
前記第１及び第２の副支持突起は、
前記第１の縁部側に設けられ、
それぞれ平面視で前記第１及び第２の側面に接して或いは前記第１及び第２の側面の近傍に配置され、
最下端部が、前記第３の側面視で前記第１の支持突起の最下端部よりも前記側溝から離れている
請求項１乃至４のいずれかに記載の側溝蓋。
【請求項１０】
前記第１の副支持突起、前記第２の副支持突起、前記第１の支持突起は、平面視で直線状に配置された
請求項９に記載の側溝蓋。
【請求項１１】
前記第１の側面に、前記第１の側面から突出する側面突起が設けられ、
前記第２の側面に、前記側面突起を収容可能な大きさの空間を画成する前記板状体の下面に開いた側面溝が設けられ、
前記側面突起は、前記第４の側面視で前記板状体の上面及び下面の間に位置し、前記板状体の上面と同じ向きの突起上面を有し、
前記側面溝は、前記第４の側面視で前記板状体の上面及び下面の間に位置し、前記板状体の下面と同じ向きの溝底面を有し、
前記側面突起、前記側面溝、前記第２の支持突起は、前記第２の縁部側に設けられ、
前記側面突起と前記側面溝とは、平面視で前記第１及び第２の側面間の中央を通る中央線を挟んで対称となる位置に配置され、
前記側面溝の溝底面は、隣接して配置される側溝蓋の前記側面突起の前記突起上面に当接する
請求項１又は２に記載の側溝蓋。
【請求項１２】
前記第２の支持突起は、前記側面突起の下面に設けられた
請求項１１に記載の側溝蓋。
【請求項１３】
前記第１の側面に、前記第１の側面から突出する側面突起が設けられ、
前記第２の側面に、前記側面突起を収容可能な大きさの空間を画成する前記板状体の上面に開いた側面溝が設けられ、
前記側面突起は、前記第４の側面視で前記板状体の上面及び下面の間に位置し、前記板状体の下面側を向く突起下端を有し、
前記側面溝は、前記第４の側面視で前記板状体の上面及び下面の間に位置し、前記板状体の上面と同じ向きの溝底面を有し、
前記側面突起、前記側面溝、前記第３の支持突起は、前記第２の縁部側に設けられ、
前記側面突起と前記側面溝とは、平面視で前記第１及び第２の側面間の中央を通る中央線を挟んで対称となる位置に配置され、
前記第１の支持突起は、平面視で前記第２の側面に接して或いは前記第２の側面の近傍に配置され、
前記側面突起の前記突起下端は、隣接して配置される側溝蓋の前記側面溝の溝底面に当接する
請求項１に記載の側溝蓋。
【請求項１４】
前記側面突起は、前記第１の側面視で前記板状体の下面側を向く円弧状の断面形状を含む
請求項１３に記載の側溝蓋。
【請求項１５】
前記第１の支持突起は、平面視で細長形状を有する
請求項１乃至１４のいずれかに記載の側溝蓋。
【請求項１６】
前記板状体の上面は、同一の長さの平行な２つの第１の辺と、前記２つの第１の辺とともに矩形を形成する同一の長さの平行な２つの第２の辺とを有し、
前記板状体の下面は、同一の長さの平行な２つの第３の辺と、前記２つの第３の辺とともに矩形を形成する同一の長さの平行な２つの第４の辺とを有する
請求項１乃至１５のいずれかに記載の側溝蓋。
【発明の詳細な説明】
【技術分野】
【０００１】
本発明は、道路や駐車場等の敷地に設けられる側溝に設置されて使用される側溝蓋に関する。
【背景技術】
【０００２】
道路や駐車場等の敷地に設けられる側溝に設置されて使用される側溝蓋の多くは、平面視で矩形状のものであり、且つその下面には４つの突起が設けられている。これらの側溝蓋は、側溝に対して、実際には面であるが、原理的には４点で支持されるようになっている。
【０００３】
このような側溝蓋は、４点支承であるため、側溝又は側溝蓋自身の製造精度や使用を通しての僅かな破損等により、がたつきが発生し易い。がたつきの発生により騒音も発生する。
【０００４】
そこで、このようながたつきを抑えるために、３点支承の側溝蓋が特許文献１に提案されている。この側溝蓋は、その形状を平面視で略三角形状或いは台形状としてあり、側溝に対して、実際には面であるが、原理的には３点で支持されるようになっている。この側溝蓋は、３点支承であるため、通常の４点支承の側溝蓋よりもがたつきの発生を抑えることができる。
【先行技術文献】
【特許文献】
【０００５】
【特許文献１】特開２００２−３２７４８７号公報
【発明の概要】
【発明が解決しようとする課題】
【０００６】
しかしながら、特許文献１の側溝蓋は、３点支承に対応するように、その形状を平面視で略三角形状或いは台形状とすることを必須としている。このため、次のような課題がある。形状が複雑なため、製造コストや運搬コストが上昇する。三角形や台形であるため、長方形の側溝に並べて配置する際、終端部やコーナー部のためだけの形状の側溝蓋も用意する必要があり、それだけ多くの種類の側溝蓋を計画的に揃える必要がある。特に三角形にした場合、通常の矩形状の側溝蓋に比べて大きさが小さくなり、設置枚数が増えるため、設置手間や設置コストが増える。また、小さくなるとそれだけ軽くなるため、跳ね上がりし易くなり、がたつきや騒音が発生し易くなる。通常の矩形状の側溝蓋と組み合わせて使用することができないため、一部側溝蓋が設置されている側溝に対して適用することができない。
【０００７】
本発明は、側溝に設置されて使用される際にがたつきや騒音の発生を抑制することができ、且つ設置手間や製造、運搬コストの増大を招かない側溝蓋を提供することを目的とする。
【課題を解決するための手段】
【０００８】
本発明の一実施形態は、側溝に複数枚並べて設置され、両縁が前記側溝に支持される側溝蓋であって、平面視で矩形状の板状体と、前記板状体に設けられ、前記板状体を３点で支持する第１乃至第３の支持突起と、を備え、前記板状体は、両側に隣接して配置される側溝蓋に対向する第１及び第２の側面と、前記側溝に対向して配置される第３及び第４の側面とを有し、前記第１の支持突起は、前記第３の側面側となる前記板状体の第１の縁部側に設けられるとともに、前記板状体の下面に設けられて前記側溝に当接し、前記第２及び第３の支持突起の１つは、前記第４の側面側となる前記板状体の第２の縁部側に設けられるとともに、前記板状体の下面に設けられて前記側溝に当接し、前記第２及び第３の支持突起の残りの１つは、前記側溝及び隣接して配置される側溝蓋のいずれかに当接する側溝蓋であることを特徴とする。
【発明の効果】
【０００９】
本発明の実施形態に係る側溝蓋は、側溝に設置されて使用される際にがたつきや騒音の発生を抑制することができ、且つ設置手間や製造、運搬コストの増大を招かない。
【図面の簡単な説明】
【００１０】
【図１】（ａ）は本発明の第１実施形態に係る側溝蓋の上面側から見た斜視図であり、（ｂ）は同側溝蓋の下面側から見た斜視図である。
【図２】（ａ）は図１の側溝蓋の上面図、（ｂ）は図１の側溝蓋の底面図、（ｃ）は側溝の両脇方向側の図１の側溝蓋の側面図、（ｄ）は側溝の長辺方向側の図１の側溝蓋の側面図である。
【図３】図１の側溝蓋が側溝に配置された状態の平面図である。
【図４】図３のＩＶ−ＩＶ線に沿って切った断面図である。
【図５】（ａ）は本発明の第２実施形態に係る側溝蓋の上面側から見た斜視図であり、（ｂ）は同側溝蓋の下面側から見た斜視図である。
【図６】（ａ）は図５の側溝蓋の上面図、（ｂ）は図５の側溝蓋の底面図、（ｃ）は側溝の両脇方向側の図５の側溝蓋の側面図、（ｄ）は側溝の長辺方向側の図５の側溝蓋の側面図である。
【図７】図５の側溝蓋が側溝に配置された状態の平面図である。
【図８】図７のＶＩＩＩ−ＶＩＩＩ線に沿って切った断面図である。
【図９】（ａ）は本発明の第３実施形態に係る側溝蓋の上面側から見た斜視図であり、（ｂ）は同側溝蓋の下面側から見た斜視図である。
【図１０】（ａ）は図９の側溝蓋の上面図、（ｂ）は図９の側溝蓋の底面図、（ｃ）は側溝の両脇方向側の図９の側溝蓋の側面図、（ｄ）は側溝の長辺方向側の図９の側溝蓋の側面図である。
【図１１】図９の側溝蓋が側溝に配置された状態の平面図である。
【図１２】図１１のＸＩＩ−ＸＩＩ線に沿って切った断面図である。
【図１３】図１１のＸＩＩＩ−ＸＩＩＩ線に沿って切った断面図である。
【図１４】図１１のＸＩＶ−ＸＩＶ線に沿って切った断面図である。
【図１５】（ａ）は本発明の第４実施形態に係る側溝蓋の上面側から見た斜視図であり、（ｂ）は同側溝蓋の下面側から見た斜視図である。
【図１６】（ａ）は図１５の側溝蓋の上面図、（ｂ）は図１５の側溝蓋の底面図、（ｃ）は側溝の両脇方向側の図１５の側溝蓋の側面図、（ｄ）は側溝の長辺方向側の図１５の側溝蓋の側面図である。
【図１７】図１５の側溝蓋が側溝に配置された状態の平面図である。
【図１８】図１７のＸＶＩＩＩ−ＸＶＩＩＩ線に沿って切った断面図である。
【図１９】（ａ）は本発明の第５実施形態に係る側溝蓋の上面側から見た斜視図であり、（ｂ）は同側溝蓋の下面側から見た斜視図である。
【図２０】（ａ）は図１９の側溝蓋の上面図、（ｂ）は図１９の側溝蓋の底面図、（ｃ）は側溝の両脇方向側の図１９の側溝蓋の側面図、（ｄ）は側溝の長辺方向側の図１９の側溝蓋の側面図である。
【図２１】図１９の側溝蓋が側溝に配置された状態の平面図である。
【図２２】図２１のＸＸＩＩ−ＸＸＩＩ線に沿って切った断面図である。
【図２３】本発明の第１実施形態に係る側溝蓋の第１の支持突起の変形例を示す斜視図である。
【発明を実施するための形態】
【００１１】
以下、本発明の実施形態について図面を参照して詳細に説明する。
【００１２】
［第１実施形態］
本発明の第１実施形態に係る側溝蓋１について、図１乃至図４を参照して説明する。図１（ａ）は側溝蓋１の上面２ａ側から見た斜視図であり、図１（ｂ）は側溝蓋１の下面２ｂ側から見た斜視図である。図２（ａ）は側溝蓋１の上面図、図２（ｂ）は側溝蓋１の底面図、図２（ｃ）は側溝１００の両脇方向側の側溝蓋１の側面図、図２（ｄ）は側溝１００の長辺（排水）方向側の側溝蓋１の側面図である。図３は、側溝蓋１が側溝１００に配置された状態の平面図である。図４は、図３のＩＶ−ＩＶ線に沿って切った断面図である。
【００１３】
側溝蓋１が配置される側溝１００は、道路や駐車場等の敷地に設けられる細長い流路である。側溝１００は、短辺（両脇）方向に一対の側溝壁１０１を有し、一対の側溝壁１０１の内側に受け縁面１０３が形成されている。
【００１４】
側溝蓋１は、側溝１００に複数枚並べて設置されて使用される蓋である。側溝蓋１は、図２（ａ）、（ｂ）に示すように平面視で矩形状の板状体２と、側溝１００に対して板状体２を支持するための第１乃至第３の支持突起４、５、６とを備える。板状体２の矩形状の形状は現在広く普及している従来の側溝蓋と同じである。
【００１５】
板状体２は、上面２aと、側溝１００の受け縁面１０３側に向けて配置される下面２ｂと、側溝１００の長辺（排水）方向側に向けて配置され上面２ａ及び下面２ｂに連続する第１の側面２ｃ及び第２の側面２ｄと、側溝１００の短辺方向側に向けて配置され上面２ａ及び下面２ｂに連続する第３の側面２ｅ及び第４の側面２ｆとを有する。側溝蓋１が側溝１００に複数枚配置されたとき、第１の側面２ｃは隣接する側溝蓋１の第２の側面２ｄに当接或いは近接して配置され、第２の側面２ｄは隣接する側溝蓋１の第１の側面２ｃに当接或いは近接して配置される。側溝蓋１が側溝１００に複数枚配置されたとき、第３の側面２ｅ及び第４の側面２ｆは側溝１００の側溝壁１０１の内側の面に当接或いは近接して配置される。第１の側面２ｃには、上面２ａから下面２ｂにわたって延在する設置や水抜きのための切り欠き部２０が形成されている。なお、切り欠き部２０は設けなくてもよく、両側に設けてもよい。板状体２の上面２ａは、例えば、平面視で同一の長さの平行な２つの第１の辺と、この２つの第１の辺とともに矩形を形成する同一の長さの平行な２つの第２の辺とを有し、板状体２の下面２ｂは、同一の長さの平行な２つの第３の辺と、この２つの第３の辺とともに矩形を形成する同一の長さの平行な２つの第４の辺とを有する。このとき、上面２ａと下面２ｂとは面積が異なっていても良い。
【００１６】
第１乃至第３の支持突起４、５、６は、板状体２の下面２ｂに板状体２と一体に形成されており、それぞれ椀状の形状を有している。第１乃至第３の支持突起４、５、６は、板状体２の下面２ｂからの突出高さがＨ１となっている。第１の支持突起４は、板状体２の下面２ｂの両縁部３のうちの第３の側面２ｅ側の第１の縁部３ａに配置され、椀状の頂部が側溝１００の受け縁面端部１０２よりも受け縁面１０３側に位置するように配置されている。また、第１の支持突起４は、平面視で板状体２の第１の側面２ｃと第２の側面２ｄとの中間位置に配置されている。第２及び第３の支持突起５、６は、板状体２の下面２ｂの両縁部３のうちの第４の側面２ｆ側の第２の縁部３ａに配置され、椀状の頂部が側溝１００の受け縁面端部１０２よりも受け縁面１０３側に位置するように配置されている。第２の支持突起５は、平面視で第１の側面２ｃに接して或いは近接して配置されている。第３の支持突起６は、平面視で第２の側面２ｄに接して或いは近接して配置されている。
【００１７】
上記のような構成により、第１乃至第３の支持突起４、５、６（の頂部）は、三角形状の３支点を形成するようになっている。図４に示すように、これら第１乃至第３の支持突起４、５、６は、面積の狭まった側の３面（３つの頂部）、原理的には３点で側溝１００の受け縁面１０３に当接して板状体２を支持する。
【００１８】
本実施形態に係る第１乃至第３の支持突起４、５、６は、椀形状としているが、本発明はこれに限定されず、設置対象の側溝の受け縁面の形状に対応させる等の目的で、適宜の形状とすることができる。ただし、直方体形状の場合と比べた場合には、椀状形状の方が側溝１００の受け縁面１０３に当接する面積が小さくなり、３点支点に近づけるためには有利である。また、第１乃至第３の支持突起４、５、６をコンクリートで作った場合には、直方体よりも椀状の方が欠け難く、耐久性の面で有利である。また、本実施形態に係る第１乃至第３の支持突起４、５、６は、板状体２の下面２ｂからの突出高さをＨ１として３つとも同じ高さとしているが、本発明はこれに限定されない。例えば、第２及び第３の支持突起５、６を同じ突出高さに設定し、第１の支持突起４の突出高さだけ異なる高さに設定してもよい。
【００１９】
本実施形態に係る板状体２及び第１乃至第３の支持突起４、５、６は、コンクリートで一体的に成形することを想定しているが、本発明はこれに限定されない。例えば、金属、セラミック、木、樹脂、これらの組み合わせ又はこれらの複合材で作ってもよい。また、本実施形態に係る板状体２は、貫通孔のない塊状の板としているが、貫通孔を複数有する格子状のグレーチングであってもよい。その場合には、第１乃至第３の支持突起４、５、６の材料も適宜選択する。例えば、グレーチングであれば、金属製の第１乃至第３の支持突起４、５、６とする。
【００２０】
次に、上記のような構成を持つ側溝蓋１の側溝１００への配置について説明する。図３に示すように、側溝蓋１は、側溝１００に複数枚並べて設置される。図３では、側溝蓋１の第１の支持突起４が設けられた側を歩道側に配置し、側溝蓋１の第２及び第３の支持突起５、６が設けられた側を車道側に配置している。すなわち、１つの支点が設けられた側を歩道側に配置し、２つの支点が設けられた側を車道側に配置している。図４に示すように、側溝蓋１の第１乃至第３の支持突起４、５、６の頂部は、側溝１００の受け縁面１０３に当接する。このとき、側溝蓋１の板状体２の上面２ａは、側溝１００の側溝壁１０１の上面と略同一の高さとなっている。
【００２１】
側溝蓋１には、上記のように配置された状態で、図４の紙面上方から下方に向かう方向に、歩行者や自動車等による荷重Ｐが加わる。側溝蓋２に加わった荷重Ｐは、隣接する板状体２どうしや板状体２と側溝１００との間で伝わっていくものもあるが、主には側溝蓋１の第１乃至第３の支持突起４、５、６から側溝１００の受け縁面１０３に伝わっていく。なお、図中の荷重Ｐの矢印は、力の方向を示すために記したものであって、図の左右方向の力の加わる位置を特定するために記したものではない。
【００２２】
本実施形態に係る側溝蓋１によれば、３つの第１乃至第３の支持突起４、５、６、つまり、３点支承で側溝１００に支持されるので側溝１００に設置されて使用される際に４点支承による側溝蓋よりもがたつきや騒音の発生を抑制することができ、且つ、平面視矩形状の簡単な形状であるので側溝１００への設置の手間、側溝蓋１の製造や運搬コストの大幅な増大を招くことがない。側溝蓋１は平面視矩形状であるため、長方形の側溝１００に並べて配置する際、その終端部やコーナー部でも使用可能であり、１種類の側溝蓋１を用意するだけで済む。また、通常の矩形状の側溝蓋と同様の形状なので、通常の矩形状の側溝蓋と比べて設置枚数は同じであり、設置手間や設置コストも同等なものとなる。また、通常の矩形状の側溝蓋と組み合わせて使用することができるため、一部側溝蓋が設置されている側溝に対しても適用することができる。三角形状或いは台形状の側溝蓋よりも形状が簡単なため、製造や運搬コストに関しても通常の矩形状の側溝蓋と同等なものとなる。図３では、一般的に歩道側よりも比較的荷重Ｐが大きいと考えられる車道側に側溝蓋１の２つの支点（第２及び第３の支持突起５、６）が設けられた側を配置し、一般的に車道側よりも比較的荷重Ｐが小さいと考えられる歩道側に側溝蓋１の１つの支点（第１の支持突起４）が設けられた側を配置しているので、効率良くがたつき及び騒音の発生を防止することができる。但し、必ずしも図３のように側溝蓋１を配置しなければならない訳ではない。
【００２３】
図２３は、第１実施形態に係る側溝蓋１の変形例を示す。この変形例に係る側溝蓋１Ｅは、第１の支持突起４Ｅが半球状ではなく、細長い形状となっており、この点のみ側溝蓋１と異なる。
【００２４】
［第２実施形態］
本発明の第２実施形態に係る側溝蓋１Ａについて、図５乃至図８を参照して説明する。第１実施形態に係る側溝蓋１と同様の構成については説明を省略し、異なる構成のみ説明する。また、第１実施形態に係る側溝蓋１と同様の構成については、同様の符号を付している。図５（ａ）は側溝蓋１Ａの上面２ａ側から見た斜視図であり、図５（ｂ）は側溝蓋１Ａの下面２ｂ側から見た斜視図である。図６（ａ）は側溝蓋１Ａの上面図、図６（ｂ）は側溝蓋１Ａの底面図、図６（ｃ）は側溝１００の両脇方向側の側溝蓋１Ａの側面図、図６（ｄ）は側溝１００の長辺（排水）方向側の側溝蓋１Ａの側面図である。図７は、側溝蓋１Ａが側溝１００に配置された状態の平面図である。図８は、図７のＶＩＩＩ−ＶＩＩＩ線に沿って切った断面図である。
【００２５】
第１実施形態に係る側溝蓋１は、板状体２の第１の縁部３ａの両端部の上面２ａ、つまり、第１の支持突起４が設けられた側である第３の側面２ｅと第１及び第２の側面２ｃ、２ｄそれぞれとの接線近くの上面２ａに荷重Ｐが加わった場合に一番がたつきが発生し易いと考えられる。本発明の第２実施形態に係る側溝蓋１Ａでは、このようながたつきが発生し易い箇所に荷重Ｐが加わった場合でも、がたつきを最小限に抑えて騒音を発生させない或いは騒音を最小限に抑えるために、板状体２Ａの下面２ｂの第１の支持突起４の両側に、２つの第１及び第２の副支持突起１５、１６を設けている。側溝蓋１Ａは、この点のみが側溝蓋１と異なる。
【００２６】
第１及び第２の副支持突起１５、１６は、第１の支持突起４と同様に椀状の形状を有する。また、第１及び第２の副支持突起１５、１６は、第１の支持突起４と同様に第１の縁部３ａ側に設けられ、且つ、第２及び第３の支持突起５、６と同様に第１の側面２ｃ及び第２の側面２ｄ側に設けられている。このとき、平面視で第１の支持突起４の頂部及び第１及び第２の副支持突起１５、１６のそれぞれの頂部とを結ぶ線が直線状になるように配置してもよい。また、平面視で第２の支持突起５の頂部及び第１の副支持突起１５の頂部を結ぶ直線と第３の支持突起６の頂部及び第２の副支持突起１６の頂部を結ぶ直線とが平行になるように配置してもよい。なお、側溝蓋１Ａの材料や板状体２Ａの構造等は、第１実施形態で述べたのと同様に適宜変更可能である。
【００２７】
図６（ｄ）及び図８に示すように、第１及び第２の副支持突起１５、１６（の頂部）は、第１の支持突起４の突起高さＨ１よりも低い突起高さＨ２を有する。図８に示すように、側溝蓋１Ａに荷重Ｐが掛かっていない、或いは掛かっていても傾いていない場合には、第１乃至第３の支持突起４、５、６の３点で側溝蓋１Ａが側溝１００に支持されており、第１及び第２の副支持突起１５、１６は側溝１００に当接せずに浮いた状態となっている。また、図８から分かるように、第１の副支持突起１５の上方の上面２ａあたりに荷重Ｐが加わって側溝蓋１Ａが傾いた場合、側溝蓋１Ａは第１の支持突起４を支点の１つとして傾き、第１の副支持突起１５が側溝１００の受け縁面１０３に当接して側溝蓋１Ａの傾きが止まる。同様に、第２の副支持突起１６の上方の上面２ａあたりに荷重Ｐが加わって側溝蓋１Ａが傾く場合、側溝蓋１Ａは第１の支持突起４を支点の１つとして傾き、第２の副支持突起１６が側溝１００の受け縁面１０３に当接して側溝蓋１Ａの傾きが止まる。
【００２８】
上記のような構成を持つ側溝蓋１Ａの側溝１００への配置は、第１実施形態に係る側溝蓋１と同様である。すなわち、図７では、側溝蓋１Ａの第１の支持突起４、第１及び第２の副支持突起１５、１６が設けられた側を歩道側に配置し、側溝蓋１Ａの第２及び第３の支持突起５、６が設けられた側を車道側に配置している。
【００２９】
本発明の第２実施形態に係る側溝蓋１Ａによれば、第１実施形態に係る側溝蓋１と同様の効果を奏することができる。さらに、第２実施形態に係る側溝蓋１Ａによれば、第１の支持突起４の突起高さＨ１よりも低い突起高さＨ２を有する第１及び第２の副支持突起１５、１６を下面２ｂの第１の支持突起４の両側に設けたので、荷重Ｐが上面２ａに加わって側溝蓋１Ａが傾いたとしても、その傾き量を最小限に抑えることができ、よって騒音を発生させない或いは騒音を軽減することができる。
【００３０】
［第３実施形態］
本発明の第３実施形態に係る側溝蓋１Ｂについて、図９乃至図１４を参照して説明する。第１実施形態に係る側溝蓋１と同様の構成については説明を省略し、異なる構成のみ説明する。また、第１実施形態に係る側溝蓋１と同様の構成については、同様の符号を付している。図９（ａ）は側溝蓋１Ｂの上面１ａ側から見た斜視図であり、図９（ｂ）は側溝蓋１Ｂの下面２ｂ側から見た斜視図である。図１０（ａ）は側溝蓋１Ｂの上面図、図１０（ｂ）は側溝蓋１Ｂの底面図、図１０（ｃ）は側溝１００の両脇方向側の側溝蓋１Ｂの側面図、図１０（ｄ）は側溝１００の長辺（排水）方向側の側溝蓋１Ｂの側面図である。図１１は、側溝蓋１Ｂが側溝１００に配置された状態の平面図である。図１２は、図１１のＸＩＩ−ＸＩＩ線に沿って切った断面図である。図１３は、図１１のＸＩＩＩ−ＸＩＩＩ線に沿って切った断面図である。図１４は、図１１のＸＩＶ−ＸＩＶ線に沿って切った断面図である。
【００３１】
第１実施形態に係る側溝蓋１は、板状体２の第１の縁部３ａの両端部の上面２ａ、つまり、第１の支持突起４が設けられた側である第３の側面２ｅと第１及び第２の側面２ｃ、２ｄそれぞれとの接線近くの上面２ａに荷重Ｐが加わった場合に一番がたつきが発生し易いと考えられる。本発明の第３実施形態に係る側溝蓋１Ｂでは、このようながたつきが発生し易い箇所に荷重Ｐが加わった場合でも、がたつきを最小限に抑えて騒音を発生させない或いは騒音を最小限に抑えるために、板状体２Ｂの第１の側面２ｃ及び第２の側面２ｄに、複数の側溝蓋１が配置された場合に互いに係合する第１及び第２の側面突起８、９と第１及び第２の側面溝１１、１２とを設けている。また、側溝蓋１Ｂは、第３及び第４の側面２ｅ、２ｆと下面２ｂとの接線部分が隅取りされた隅取り部１３となっている。側溝蓋１Ｂは、これらの点が側溝蓋１と異なる。
【００３２】
第１の側面突起８は、板状体２Ｂの第１の側面２ｃの第１縁部３ａ側に第１の側面２ｃから突出するように設けられている。第２の側面突起９は、板状体２Ｂの第２の側面２ｄの第１縁部３ａ側に第２の側面２ｄから突出するように設けられている。第１及び第２の側面突起８、９は、上面２ａ側が上面２ａと同一平面となる平面となっている。また、第１及び第２の側面突起８、９は、第１及び第２の側面２ｃ、２ｄの視点で下面２ｂ側が下面２ｂ側を向く円弧状の断面形状となっている。
【００３３】
第１の側面溝１１は、板状体２Ｂの第１の側面２ｃの第２縁部３ｂ側に第１の側面２ｃから窪むように設けられている。第２の側面溝１２は、板状体２Ｂの第２の側面２ｄの第２縁部３ｂ側に第２の側面２ｄから窪むように設けられている。また、第１の側面溝１１は、上面２ａ及び第１の側面２ｃの向く方向に開放されており、下面２ｂ側は閉じて上面２ｃと同じ方向を向く第１の溝底面１１ａとなっている。同様に、第２の側面溝１２は、上面２ａ及び第２の側面２ｄの向く方向に開放されており、下面２ｂ側は閉じて上面２ｃと同じ方向を向く第２の溝底面１２ａとなっている。
【００３４】
第１の側面溝１１には、隣接して配置される側溝蓋１Ｂの第１の側面突起８が係合される。第２の側面溝１２には、隣接して配置される側溝蓋１Ｂの第２の側面突起９が係合される。そのため、第１の側面溝１１は、第１の側面突起８を収容可能な大きさの空間を画成するように形成され、同様に、第２の側面溝１２は、第２の側面突起９を収容可能な大きさの空間を画成するように形成されている。第１の側面突起８と第１の側面溝１１とは、平面視（上面２ａからの視点）で両縁部３間（第１の縁部３ａと第２の縁部３ｂとの間）の中央を通る中央線Ｌ１を挟んで対称となる位置に配置されている。同様に、第２の側面突起９と第２の側面溝１２とは、平面視で中央線Ｌ１を挟んで対称となる位置に配置されている。また、第１の側面突起８の円弧状の頂部と第１の側面溝１１の第１の溝底面１１ａとは、第１の側面２ｃの視点でほぼ同じ高さに位置し、同様に、第２の側面突起９の円弧状の頂部と第２の側面溝１２の第２の溝底面１２ａとは、第２の側面２ｄの視点でほぼ同じ高さに位置する。このような構成により、側溝蓋１Ｂが複数枚並べて配置された際、第１の側面突起８が隣接する側溝蓋１Ｂの第１の側面溝１１にその円弧状の頂部が第１の溝底面１１ａに当接した状態或いは近接した状態で収容され、同様に、第２の側面突起９が隣接する側溝蓋１Ｂの第２の側面溝１２にその円弧状の頂部が第２の溝底面１２ａに当接した状態或いは近接した状態で収容されるようになっている。
【００３５】
本実施形態では、第１及び第２の溝底面１１ａ、１２aは、それぞれ平面視で第２及び第３の支持突起５、６の頂部（側溝１００の受け縁面１０３と接する部分）に少なくとも重畳する位置に配置されている。第１及び第２の側面突起８、９は、対応する第１及び第２の側面溝１１、１２に収容されたときに、それぞれ平面視で第２及び第３の支持突起５、６の頂部（側溝１００の受け縁面１０３と接する部分）に少なくとも重畳する突出高さを有する。なお、第１及び第２の溝底面１１ａ、１２aと第２及び第３の支持突起５、６とは、平面視で重畳していなくてもよい。また、第１及び第２の側面突起８、９と第２及び第３の支持突起５、６とは、平面視で重畳していなくてもよい。また、第１及び第２の側面突起８、９は、第３の側面２ｅと段差なしに連続的に設けてもよく、第１及び第２の側面溝１１、１２も、上面２ａ、第１の側面２ｃ、第４の側面２ｆ側が開放されるように設けてもよい。また、側溝蓋１Ｂの材料や板状体２Ｂの構造等は、第１実施形態で述べたのと同様に適宜変更可能である。
【００３６】
上記のような構成を持つ側溝蓋１Ｂの側溝１００への配置は、図１１に示すように、１点支点（支持突起４）側と２点支点（支持突起５、６）側とを交互に並べる。すなわち、第１乃至第３の側溝蓋１Ｂを配置する場合、第２の側溝蓋１Ｂの第１の側面２ｃと第１の側溝蓋１Ｂの第１の側面２ｃとが対向し、また、第２の側溝蓋１Ｂの第２の側面２ｄと第３の側溝蓋１Ｂの第２の側面２ｄとが対向するように並べる。
【００３７】
配置の仕方としては、例えば、既に配置された第１の側溝蓋１Ｂに第２の側溝蓋１Ｂを横からスライドさせて両者を噛み合わせる。また、既に配置されている第１及び第３の側溝蓋１Ｂの間に第２の側溝蓋１Ｂを配置する場合、第２の側溝蓋１Ｂを傾けた状態で、第１の側溝蓋１Ｂの第１の側面突起８又は第２の側面突起９に第２の側溝蓋１Ｂの第１の側面溝１１又は第２の側面溝１２を入れ込んで、第１の側面突起８又は第２の側面突起９を軸として第２の側溝蓋１Ｂを寝かせるように回転させて、第２の側溝蓋１Ｂの第２の側面突起９又は第１の側面突起８を第１の側溝蓋１Ｂの第２の側面溝１２又は第１の側面溝１１に入れ込む。隅取り部１３が設けられているので回転させ易く、破損し難くい。配置の際、切り欠き部２０があればこれを利用したり、専用の設置具や取り外し具を用いてもよい。取り外しの際は、上記の逆を行う。第１実施形態でも述べたように、切り欠き部２０の有無や個数、設ける側は適宜選択可能である。ただし、状況によっては配置や取り外しの際に、切り欠き部２０があった方が便利かも知れない。
【００３８】
側溝蓋１Ｂを側溝１００のコーナー部や端部に設置する場合には、その片方の側面突起８又は９を切断して使用すればよい。もちろん、片方の側面突起８又は９を形成していない側溝蓋を製造して予め用意しておいてもよい。
【００３９】
図１２に示すように、本実施形態では、側溝蓋１Ｂが側溝１００に配置された場合、側面視（第１の側面２ｃの視点）で第２の支持突起５と第１の側面突起８とが一直線上に並ぶように配置される。また、第２の支持突起５の頂部（側溝１００の受け縁面１０３との接点）と第１の側面突起８の頂部（第１の溝底面１１ａとの接点）とが一直線上に並ぶように配置される。第３の支持突起６と第２の側面突起９についても同様の関係となっている。図１３に示すように、図中左の第１の側溝蓋１Ｂの第１の側面突起８（の頂部）と図中右の第３の側溝蓋１Ｂの第２の側面突起９（の頂部）とが、図中真ん中の第２の側溝蓋１Ｂの第１及び第２の溝底面１１ａ、１２ａにそれぞれ当接している。図１４に示すように、図中真ん中の第２の側溝蓋１Ｂの第１及び第２の側面突起８、９（の頂部）が、図中右の第１の側溝蓋１Ｂの第１の溝底面１１ａ及び図中左の第３の側溝蓋１Ｂの第２の溝底面１２ａにそれぞれ当接している。このように、第２の側溝蓋１Ｂは、側溝１００に対して３点で支承され、且つ、隣合う第１及び第２の側溝蓋１Ｂに対して２点で支承される。
【００４０】
図１３から分かるように、第１の側溝蓋１Ｂの第１の支持突起４と第２の側溝蓋１Ｂの第２の支持突起５との間の第１の側溝蓋１Ｂの上面２ａに荷重Ｐが加わった場合、第１の側溝蓋１Ｂの第１の側面突起８と第２の側溝蓋１Ｂの第１の溝底面１１ａとはほぼ密接しているので、第１の側溝蓋１Ｂは傾かない、或いは傾いたとしてもほんの僅かとなる。同様に、第３の側溝蓋１Ｂの第１の支持突起４と第２の側溝蓋１Ｂの第３の支持突起６との間の第３の側溝蓋１Ｂの上面２ａに荷重Ｐが加わった場合、第３の側溝蓋１Ｂの第２の側面突起９と第２の側溝蓋１Ｂの第２の溝底面１２ａとはほぼ密接しているので、第３の側溝蓋１Ｂは傾かない、或いは傾いたとしてもほんの僅かとなる。
【００４１】
図１４から分かるように、第１の側溝蓋１Ｂの第２の支持突起５と第２の側溝蓋１Ｂの第１の支持突起４との間の第２の側溝蓋１Ｂの上面２ａに荷重Ｐが加わった場合、第１の側溝蓋１Ｂの第１の溝底面１１ａと第２の側溝蓋１Ｂの第１の側面突起８とはほぼ密接しているので、第２の側溝蓋１Ｂは傾かない、或いは傾いたとしてもほんの僅かとなる。同様に、第３の側溝蓋１Ｂの第３の支持突起６と第２の側溝蓋１Ｂの第１の支持突起４との間の第２の側溝蓋１Ｂの上面２ａに荷重Ｐが加わった場合、第３の側溝蓋１Ｂの第２の溝底面１２ａと第２の側溝蓋１Ｂの第２の側面突起９とはほぼ密接しているので、第２の側溝蓋１Ｂは傾かない、或いは傾いたとしてもほんの僅かとなる。
【００４２】
本発明の第３実施形態に係る側溝蓋１Ｂによれば、第１実施形態に係る側溝蓋１と同様の効果を奏することができる。さらに、第３実施形態に係る側溝蓋１Ｂによれば、側溝１００に対して３点で支承され、この３点支承を補うように隣合う側溝蓋１Ｂに対して２点で支承されるので、側溝蓋１Ｂの上面２ａのどこに荷重Ｐが掛かっても側溝蓋１Ｂは傾かない、或いは傾いたとしてもほんの僅かとなる。したがって、側溝蓋１Ｂは、非常にがたつき難く、騒音も発生し難い。特に、第１実施形態に係る側溝蓋１は、板状体２の第１の縁部３ａの両端部の上面２ａに荷重Ｐが加わった場合に一番がたつきが発生し易いと考えられるが、第３実施形態に係る側溝蓋１Ｂであれば、このようながたつきが発生し易い箇所に荷重Ｐが加わったとしてもがたつかない。
【００４３】
第３実施形態に係る側溝蓋１Ｂでは、図１２乃至図１４に示すように、第１及び第２の側面突起８、９が平面視で第２及び第３の支持突起５、６の頂部に重畳するようにして、荷重Ｐが掛かったときに力が第１及び第２の側面突起８、９から第２及び第３の支持突起５、６、そして側溝１００の受け縁面１０３に直線的に掛かるようになっている。しかしながら、第１及び第２の側面突起８、９を平面視で第２及び第３の支持突起５、６の頂部に重畳させなくてもよい。この場合でも、平面視で両者をある程度近接して配置すれば、かなりのがたつきを抑えることができる。
【００４４】
［第４実施形態］
本発明の第４実施形態に係る側溝蓋１Ｃについて、図１５乃至図１８を参照して説明する。第１実施形態に係る側溝蓋１と同様の構成については説明を省略し、異なる構成のみ説明する。また、第１実施形態に係る側溝蓋１と同様の構成については、同様の符号を付している。図１５（ａ）は側溝蓋１Ｃの上面１ａ側から見た斜視図であり、図１５（ｂ）は側溝蓋１Ｃの下面２ｂ側から見た斜視図である。図１６（ａ）は側溝蓋１Ｃの上面図、図１６（ｂ）は側溝蓋１Ｃの底面図、図１６（ｃ）は側溝１００の両脇方向側の側溝蓋１Ｃの側面図、図１６（ｄ）は側溝１００の長辺（排水）方向側の側溝蓋１Ｃの側面図である。図１７は、側溝蓋１Ｃが側溝１００に配置された状態の平面図である。図１８は、図１７のＸＶＩＩ−ＸＶＩＩ線に沿って切った断面図である。
【００４５】
第１実施形態に係る側溝蓋１では、板状体２の下面２ｂに３つの第１乃至第３の支持突起４乃至６が設けられており、３つの第１乃至第３の支持突起４乃至６全てが側溝１００の受け縁面１０３と接して側溝蓋１を支持するようになっている。第４実施形態に係る側溝蓋１Ｃでは、第１乃至第３の支持突起４乃至６のうちの１つを省略し、その代わりに板状体２Ｃの側面に隣接する側溝蓋１Ｃに支持される部分を設けた。つまり、第４実施形態に係る側溝蓋１Ｃは、側溝１００の受け縁面１０３に接する２つの支持点と、隣接する側溝蓋１に接する１つの支持点を有し、３点にて支持されるようになっている。具体的な構成を以下に説明する。
【００４６】
側溝蓋１Ｃは、板状体２Ｃの第１の側面２ｃの第２縁部３ｂ側に第１の側面２ｃから突出するように設けられた側面突起３０を備える。側面突起３０は、下面２ｂ側が下面２ｂと同一平面となる平面となっている。また、側面突起３０は、上面２ａと下面２ｂとの間に位置し、上面２ａ側を向く上面２ａと平行な平面である突起上面３０ａを有する。
【００４７】
側溝蓋１Ｃは、板状体２Ｃの第２の側面２ｄの第２縁部３ｂ側に第２の側面２ｄから窪むように設けられた側面溝３１を備える。側面溝３１は、下面２ｂ、第２の側面２ｄ、第４の側面２ｆの向く方向に開放されており、上面２ａ側は閉じて下面２ｂと同じ方向を向く平面である溝底面３１ａとなっている。
【００４８】
第２の支持突起５は、側面突起３０の下面２ｂ側の下面に設けられている。第３の支持突起６は、設けられていない。本実施形態では、第２の支持突起５と側面突起３０とは、平面視で互いに重畳する位置に配置されている。但し、これに限定されず、支持突起５と側面突起３０とは、平面視で互いに重畳していなくてもよい。
【００４９】
側面溝３１には、隣接して配置される側溝蓋１Ｃの側面突起３０が係合される。そのため、側面溝３１は、側面突起３０を収容可能な大きさの空間を画成するように形成されている。側面突起３０と側面溝３１とは、側溝蓋１Ｃが隣接して配置された場合に、互いに係合するような位置に配置されている。側面突起３０の突起上面３０ａと側面溝３１の溝底面３１ａとは、第４の側面２ｆの視点でほぼ同じ高さに位置する。このような構成により、側溝蓋１Ｃが複数枚並べて配置された際、側面突起３０が隣接する側溝蓋１Ｃの側面溝３１に、その突起上面３０ａが溝底面３１ａに当接した状態で収容されるようになっている。このように、側面溝３１（溝底面３１ａ）は、側溝蓋１Ｃを支持する支点の１つとしての役割を担い、第１及び第２の支持突起４、５とともに、３点支承を形成する。側面溝３１が、省略した第３の支持突起６の役割を担っていると言える。
【００５０】
上記のような構成を持つ側溝蓋１Ｃの側溝１００への配置は、第１実施形態に係る側溝蓋１と同様である。すなわち、図１７では、側溝蓋１Ｃの第１の支持突起４が設けられた側を歩道側に配置し、側溝蓋１Ｃの第２の支持突起５が設けられた側を車道側に配置している。配置の仕方としては、例えば、既に配置された第１の側溝蓋１Ｃに第２の側溝蓋１Ｃを上から設置、或いは横からスライドさせて両者を噛み合わせる。側溝蓋１Ｃを側溝１００のコーナー部や端部に設置する場合には、その側面突起３０を切断して使用すればよい。もちろん、その側面突起３０を形成していない側溝蓋を製造して予め用意しておいてもよい。
【００５１】
図１８に示すように、図中真ん中の第１の側溝蓋１Ｃの側面溝３１の溝底面３１ａが、図中右の第２の側溝蓋１Ｃの側面突起３０の突起上面３０ａに当接している。このように、第１の側溝蓋１Ｃは、第１の側溝蓋１Ｃの第１及び第２の支持突起４、５により側溝１００に対して２点で支承され、且つ、第１の側溝蓋１Ｃの側面溝３１の溝底面３１ａにより隣合う第２の側溝蓋１Ｃに対して１点で支承される。したがって、第１の側溝蓋１Ｃは、外部に対して３点で支承されることになる。
【００５２】
本発明の第４実施形態に係る側溝蓋１Ｃによれば、第１実施形態に係る側溝蓋１と同様の効果を奏することができる。
【００５３】
［第５実施形態］
本発明の第５実施形態に係る側溝蓋１Ｄについて、図１９乃至図２２を参照して説明する。第１実施形態に係る側溝蓋１と同様の構成については説明を省略し、異なる構成のみ説明する。また、第１実施形態に係る側溝蓋１と同様の構成については、同様の符号を付している。図１９（ａ）は側溝蓋１Ｄの上面１ａ側から見た斜視図であり、図１９（ｂ）は側溝蓋１Ｄの下面２ｂ側から見た斜視図である。図２０（ａ）は側溝蓋１Ｄの上面図、図２０（ｂ）は側溝蓋１Ｄの底面図、図２０（ｃ）は側溝１００の両脇方向側の側溝蓋１Ｄの側面図、図２０（ｄ）は側溝１００の長辺（排水）方向側の側溝蓋１Ｄの側面図である。図２１は、側溝蓋１Ｄが側溝１００に配置された状態の平面図である。図２２は、図２１のＸＸＩＩ−ＸＸＩＩ線に沿って切った断面図である。
【００５４】
第１実施形態に係る側溝蓋１では、板状体２の下面２ｂに３つの第１乃至第３の支持突起４乃至６が設けられており、３つの第１乃至第３の支持突起４乃至６全てが側溝１００の受け縁面１０３と接して側溝蓋１を支持するようになっている。第５実施形態に係る側溝蓋１Ｄでは、第１乃至第３の支持突起４乃至６のうちの１つを省略し、その代わりに板状体２Ｄの側面に隣接する側溝蓋１Ｄに支持される部分を設けた。つまり、第５実施形態に係る側溝蓋１Ｄは、側溝１００の受け縁面１０３に接する２つの支持点と、隣接する側溝蓋１Ｄに接する１つの支持点を有し、３点にて支持されるようになっている。具体的な構成を以下に説明する。
【００５５】
側溝蓋１Ｄは、板状体２Ｄの第１の側面２ｃの第２縁部３ｂ側に第１の側面２ｃから突出するように設けられた側面突起３２を備える。側面突起３２は、第１の側面２ｃの視点で下面２ｂ側が下面２ｂ側を向く円弧状の断面形状となっており、また、第４の側面２ｆの視点で下面２ｂ側に下面２ｂ側を向く半円弧状の断面形状を含んでいる。側面突起３２は、上面２ａ側が上面２ａと同一平面となる平面となっており、第１の側面２ｃから離れた側の端部は円弧形状となっている。また、側面突起３２は、上面２ａと下面２ｂとの間に位置し、下面２ｂ側を向く突起下端３２ａを有する。
【００５６】
側溝蓋１Ｄは、板状体２Ｄの第２の側面２ｄの第２縁部３ｂ側に第２の側面２ｄから窪むように設けられた側面溝３３を備える。側面溝３３は、上面２ａ、第２の側面２ｄの向く方向に開放されており、下面２ｂ側は閉じて上面２ａと同じ方向を向く平面である溝底面３３ａとなっている。
【００５７】
第１の支持突起４は、第３の支持突起６と同様に、第２の側面２ｄ側に寄せた位置で下面２ｂに設けられている。第２の支持突起５は、設けられていない。
【００５８】
側面溝３３には、隣接して配置される側溝蓋１Ｄの側面突起３２が係合される。そのため、側面溝３３は、側面突起３２を収容可能な大きさの空間を画成するように形成されている。側面突起３２と側面溝３３とは、側溝蓋１Ｄが隣接して配置された場合に、互いに係合するような位置に配置されている。側面突起３２の突起下端３２ａと側面溝３３の溝底面３３ａとは、第４の側面２ｆの視点でほぼ同じ高さに位置する。このような構成により、側溝蓋１Ｄが複数枚並べて配置された際、側面突起３２が隣接する側溝蓋１Ｄの側面溝３３に、その突起下端３２ａが溝底面３３ａに当接した状態で収容されるようになっている。このように、側面突起３２（突起下端３２ａ）は、側溝蓋１Ｄを支持する支点の１つとしての役割を担い、第１及び第３の支持突起４、６とともに、３点支承を形成する。側面突起３２が、省略した第２の支持突起５の役割を担っていると言える。
【００５９】
上記のような構成を持つ側溝蓋１Ｄの側溝１００への配置は、第１実施形態に係る側溝蓋１と同様である。すなわち、図２１では、側溝蓋１Ｄの第１の支持突起４が設けられた側を歩道側に配置し、側溝蓋１Ｄの第３の支持突起６が設けられた側を車道側に配置している。配置の仕方としては、例えば、既に配置された第１の側溝蓋１Ｄに第２の側溝蓋１Ｄを上から設置、或いは横からスライドさせて両者を噛み合わせる。側溝蓋１Ｄを側溝１００のコーナー部や端部に設置する場合には、その側面突起３２を切断して使用すればよい。もちろん、その側面突起３２を形成していない側溝蓋を製造して予め用意しておいてもよい。
【００６０】
図２２に示すように、図中真ん中の第２の側溝蓋１Ｄの側面突起３２の突起下端３２ａが、図中左の第１の側溝蓋１Ｄの側面溝３３の溝底面３３ａに当接している。このように、第２の側溝蓋１Ｄは、第２の側溝蓋１Ｄの第１及び第３の支持突起４、６により側溝１００に対して２点で支承され、且つ、第２の側溝蓋１Ｄの側面突起３２の突起下端３２ａにより隣合う第１の側溝蓋１Ｄに対して１点で支承される。したがって、第２の側溝蓋１Ｄは、外部に対して３点で支承されることになる。
【００６１】
本発明の第５実施形態に係る側溝蓋１Ｄによれば、第１実施形態に係る側溝蓋１と同様の効果を奏することができる。
【００６２】
なお、第１乃至第３の支持突起４乃至６、側面突起３０、３２、側面溝３１、３３の側溝蓋１、１Ａ、１Ｂ、１Ｃ、１Ｄに対する位置及び形状、大きさは、側溝蓋１、１Ａ、１Ｂ、１Ｃ、１Ｄが外部に対して実質的に３点で支承されるようになっていればよく、上記実施形態に限定されない。
【００６３】
以上、本発明の実施形態について説明したが、本発明は上記実施形態に限定されず、種々の変形が可能である。
【符号の説明】
【００６４】
１、１Ａ、１Ｂ、１Ｃ、１Ｄ、１Ｅ  側溝蓋
２、２Ａ、２Ｂ、２Ｃ、２Ｄ  板状体
２ａ  上面
２ｂ  下面
２ｃ  第１の側面
２ｄ  第２の側面
２ｅ  第３の側面
２ｆ  第４の側面
３  両縁部
３ａ  第１の縁部
３ｂ  第２の縁部
４、４Ｅ  第１の支持突起
５  第２の支持突起
６  第３の支持突起
８  第１の側面突起
９  第２の側面突起
１１  第１の側面溝
１１ａ  第１の溝底面
１２  第２の側面溝
１２ａ  第２の溝底面
１３  隅取り部
１５  第１の副支持突起
１６  第２の副支持突起
２０  切り欠き部
３０  側面突起
３０ａ  突起上面
３１  側面溝（第３の支持突起６に相当）
３１ａ  溝底面
３２  側面突起（第２の支持突起５に相当）
３２ａ  突起下端
３３  側面溝
３３ａ  溝底面
１００  側溝
１０１  側溝壁
１０２  受け縁面端部
１０３  受け縁面
Ｈ１、Ｈ２  突出高さ
Ｌ１  中央線
Ｐ  荷重
【図１】
2013053452.tif 000003
【図２】
2013053452.tif 000004
【図３】
2013053452.tif 000005
【図４】
2013053452.tif 000006
【図５】
2013053452.tif 000007
【図６】
2013053452.tif 000008
【図７】
2013053452.tif 000009
【図８】
2013053452.tif 000010
【図９】
2013053452.tif 000011
【図１０】
2013053452.tif 000012
【図１１】
2013053452.tif 000013
【図１２】
2013053452.tif 000014
【図１３】
2013053452.tif 000015
【図１４】
2013053452.tif 000016
【図１５】
2013053452.tif 000017
【図１６】
2013053452.tif 000018
【図１７】
2013053452.tif 000019
【図１８】
2013053452.tif 000020
【図１９】
2013053452.tif 000021
【図２０】
2013053452.tif 000022
【図２１】
2013053452.tif 000023
【図２２】
2013053452.tif 000024
【図２３】
2013053452.tif 000025